(57)【要約】【課題】  利用者の利便性が高く、ネットワークの構築及び維持のための負担が小さい電話機、交換機及びそれらの制御方法を提供する。【解決手段】  電話機は、無線通信により無線端末と通信するための無線インタフェースと、ＩＰ（Internet Protocol）ネットワークと接続するためのＩＰインタフェースと、無線端末に固有の固有ＩＤ（Identification）を無線端末から取得し、固有ＩＤをＩＰネットワークに接続された交換機に通知し、固有ＩＤの通知の返信として交換機から固有ＩＤに対応する内線番号及びログイン情報を取得し、ログイン情報により交換機へログインし、自電話機を内線番号を持つ電話機として機能させ、無線端末とＩＰネットワークとを接続する制御部と、を備える。【選択図】      図１
2016001813.tif 000002
【特許請求の範囲】
【請求項１】
無線通信により無線端末と通信するための無線インタフェースと、
ＩＰ（Internet Protocol）ネットワークと接続するためのＩＰインタフェースと、
前記無線端末に固有の固有ＩＤ（Identification）を前記無線端末から取得し、前記固有ＩＤを前記ＩＰネットワークに接続された交換機に通知し、前記固有ＩＤの通知の返信として前記交換機から前記固有ＩＤに対応する内線番号及びログイン情報を取得し、前記ログイン情報により前記交換機へログインし、自電話機を前記内線番号を持つ電話機として機能させ、前記無線端末と前記ＩＰネットワークとを接続する制御部と、
を備える電話機。
【請求項２】
前記制御部は、前記交換機への前記ログインが成功した場合に、前記無線端末を前記ＩＰネットワークへ接続する、請求項１に記載された電話機。
【請求項３】
前記制御部は、前記無線端末と前記無線インタフェースとの無線通信が切断された場合には、前記交換機からログアウトする、請求項１又は２に記載された電話機。
【請求項４】
前記通知は暗号化されており、前記制御部は前記通知を復号して前記ログイン情報を取得する、請求項１乃至３のいずれかに記載された電話機。
【請求項５】
ＩＰネットワークと接続するためのＩＰインタフェースと、
内線番号及び前記内線番号に対応するログイン情報を記憶するデータベースと、
前記ＩＰネットワークを介して接続された電話機から前記電話機と接続された無線端末の固有ＩＤが通知されると、前記固有ＩＤに対応する内線番号を取得し、前記内線番号に対応する前記ログイン情報を前記データベースから取得し、前記内線番号及び前記ログイン情報を前記ＩＰインタフェースを介して前記電話機へ通知する制御部と、
を備える交換機。
【請求項６】
前記データベースは、前記内線番号及び前記ログイン情報を前記固有ＩＤに対応させて記憶し、
前記制御部は、前記固有ＩＤに対応する前記内線番号と前記ログイン情報とを前記データベースから取得する、
請求項５に記載された交換機。
【請求項７】
前記制御部は、前記電話機から前記固有ＩＤが通知された際に、前記ＩＰネットワークを介して接続された認証装置に対して前記固有ＩＤに対応する前記内線番号の問い合わせを行い、前記認証装置から前記固有ＩＤに対応する前記内線番号を取得し、前記取得された前記内線番号に対応する前記ログイン情報を前記データベースから取得する、請求項５に記載された交換機。
【請求項８】
請求項１乃至３のいずれかに記載された電話機と請求項５乃至７のいずれかに記載された交換機とが、それぞれに備えられたＩＰインタフェースを介して接続されている、電話システム。
【請求項９】
無線通信によって無線端末と通信し、
ＩＰインタフェースによってＩＰネットワークと接続し、
前記無線端末に固有の固有ＩＤを前記無線端末から取得し、
前記固有ＩＤをＩＰネットワークを介して接続された交換機に通知し、
前記固有ＩＤの通知の返信として前記交換機から前記固有ＩＤに対応する内線番号及びログイン情報を取得し、
前記ログイン情報により前記交換機へログインし、
自電話機を前記内線番号を持つ電話機として機能させ、
前記無線端末と前記ＩＰネットワークとを接続する、
電話機の制御方法。
【請求項１０】
ＩＰインタフェースによってＩＰネットワークと接続し、
内線番号及び前記内線番号に対応するログイン情報をデータベースに記憶し、
前記ＩＰネットワークを介して接続された電話機から前記電話機と接続された無線端末の固有ＩＤが通知されると、前記固有ＩＤに対応する内線番号を取得し、
前記内線番号に対応する前記ログイン情報を前記データベースから取得し、
前記内線番号及び前記ログイン情報を前記ＩＰインタフェースを介して前記電話機へ通知する、
交換機の制御方法。
【発明の詳細な説明】
【技術分野】
【０００１】
本発明は、電話機、交換機及びそれらの制御方法に関する。本発明は、特に、端末と接続して用いられる電話機及び当該電話機が接続された交換機並びにそれらの制御方法に関する。
【背景技術】
【０００２】
近年、ＩＰ（Internet Protocol）電話や無線ＬＡＮ（Local Area Network）などのネットワーク技術の進化を背景に、従業員が執務するオフィスにおいて、座席の位置が従業員ごとに固定されないレイアウト（以下、「フリーアドレス」という。）を導入する企業が増えている。
【０００３】
フリーアドレスが導入されたオフィスでは、従業員はオフィス内の空いている座席を自由に選択して執務する。このため、従業員ごとに専用に用いられるパーソナルコンピュータ（Personal Computer、PC）や電話機を、特定の座席に固定して設置することはできない。従って、フリーアドレスが導入されたオフィスでは、無線ＬＡＮシステムが導入されるとともに、無線ＬＡＮインタフェースを持つノートＰＣやスマートホン（多機能携帯電話）のような、スマートデバイス（多機能情報処理端末）が従業員に配布される場合が多い。スマートデバイスが各従業員に配布されることで、執務する座席が固定されない場合でも、従業員はこれらのデバイスを使用して執務できる。
【０００４】
本発明に関連して、特許文献１には、ユーザの専用端末としてログインする機能を持つ電話端末が記載されている。特許文献２には、携帯電話との通話をＢｌｕｅｔｏｏｔｈ（登録商標）接続を用いて内線電話に転送する方法が記載されている。特許文献３には、携帯電話がＤＨＣＰ（Dynamic Host Configuration Protocol）サーバからＩＰアドレスを取得する構成が記載されている。
【先行技術文献】
【特許文献】
【０００５】
【特許文献１】特開２００７−１２３９７１号公報（［００１３］段落）
【特許文献２】特開２００５−１９７７７７号公報（［００４８］段落）
【特許文献３】特開２００９−２５８９１６号公報（［００３３］段落）
【発明の概要】
【発明が解決しようとする課題】
【０００６】
無線ＬＡＮシステムや構内ＰＨＳシステムが導入されていないオフィスでフリーアドレスが導入された場合には、利用者は、執務を開始する前に電話線やＬＡＮケーブルをノートＰＣに接続する必要がある。また、利用者が執務場所を移動する際には、利用者はそれらのケーブルを外す必要がある。このため、このような無線システムが導入されていないオフィスには、利用者の利便性が低いという課題がある。
【０００７】
また、フリーアドレスが導入されたオフィスにおいて、設置されている電話機を利用者が専用の内線電話機として作動させるためには、利用者は、執務開始前にＩＤ（Identification）及びパスワードを手動で内線電話システムに入力してログインする必要がある。さらに、利用者は、業務の終了時に、不在となったことを内線電話システムに登録するために、ログアウト操作を実施する必要もある。このように、フリーアドレスが導入されたオフィスにおいて、設置されている電話機を個人の内線電話機として使用する場合にも、利用者の利便性が低いという課題が生じる。
【０００８】
なお、以下では、無線ＬＡＮや構内ＰＨＳシステムのような無線システムを総称して「無線アクセスシステム」という。
【０００９】
一方、無線アクセスシステムの導入のためには、従業員が使用するスマートデバイスと通信するためのアンテナの設置位置を検討したり、オフィス内の電波の伝搬状態を実際に測定したりする必要がある。このような無線システムの設計には高度な技術が必要であり、さらに、アンテナの設置にあたっては建物の内外へのケーブルの配線や高所での作業も必要となる。そのため、無線システムの導入には専門の工事業者への依頼が必要であり、時間や費用を要するという課題がある。
【００１０】
また、電話機として無線ＬＡＮを使用した電話機や構内ＰＨＳ電話機が採用された場合、全ての従業員に電話機を配布することが必要となる。この場合、オフィスの座席数が従業員数よりも少ない場合でも従業員全員に電話機を配布する必要があるため、無線アクセスシステムには、導入時の電話機のコストが高いという課題もある。
【００１１】
さらに、無線アクセスシステムは、その導入後も、例えばオフィスの什器の位置の変更により電波の伝搬状況が変動する結果、場所によっては所望の無線通信品質が確保できなくなる恐れがある。このような場合には、電波の伝搬状況の再測定やアンテナ位置の変更あるいはアンテナの増設等を検討する必要がある。すなわち、無線アクセスシステムには、運用開始後にシステムを維持するための負担が大きいという課題もある。
【００１２】
このように、オフィスへのフリーアドレスの導入の際には、利用者の利便性が低いという課題、並びに、ネットワークシステムの構築時及びその運用開始後の負担が大きい、という課題が生じる。
【００１３】
特許文献１−３には、オフィスや家庭で使用される電話システムについての技術が記載されている。しかしながら、特許文献１−３は、オフィスにフリーアドレスが導入される場合に、利用者の利便性が低く、ネットワークシステムの構築及び維持の負担が大きいという課題を解決するための手段を開示していない。
（発明の目的）
本発明は、利用者の利便性が高く、ネットワークの構築及び維持のための負担が小さい電話機、交換機及びそれらの制御方法を提供することを目的とする。
【課題を解決するための手段】
【００１４】
本発明の電話機は、無線通信により無線端末と通信するための無線インタフェースと、ＩＰ（Internet Protocol）ネットワークと接続するためのＩＰインタフェースと、前記無線端末に固有の固有ＩＤ（Identification）を前記無線端末から取得し、前記固有ＩＤを前記ＩＰネットワークに接続された交換機に通知し、前記固有ＩＤの通知の返信として前記交換機から前記固有ＩＤに対応する内線番号及びログイン情報を取得し、前記ログイン情報により前記交換機へログインし、自電話機を前記内線番号を持つ電話機として機能させ、前記無線端末と前記ＩＰネットワークとを接続する制御部と、を備える。
【００１５】
本発明の交換機は、ＩＰネットワークと接続するためのＩＰインタフェースと、内線番号及び前記内線番号に対応するログイン情報を記憶するデータベースと、前記ＩＰネットワークを介して接続された電話機から前記電話機と接続された無線端末の固有ＩＤが通知されると、前記固有ＩＤに対応する内線番号を取得し、前記内線番号に対応する前記ログイン情報を前記データベースから取得し、前記内線番号及び前記ログイン情報を前記ＩＰインタフェースを介して前記電話機へ通知する制御部と、を備える。
【００１６】
本発明の電話機の制御方法は、無線通信によって無線端末と通信し、ＩＰインタフェースによってＩＰネットワークと接続し、前記無線端末に固有の固有ＩＤを前記無線端末から取得し、前記固有ＩＤをＩＰネットワークを介して接続された交換機に通知し、前記固有ＩＤの通知の返信として前記交換機から前記固有ＩＤに対応する内線番号及びログイン情報を取得し、前記ログイン情報により前記交換機へログインし、自電話機を前記内線番号を持つ電話機として機能させ、前記無線端末と前記ＩＰネットワークとを接続する。
【００１７】
本発明の交換機の制御方法は、ＩＰインタフェースによってＩＰネットワークと接続し、内線番号及び前記内線番号に対応するログイン情報をデータベースに記憶し、前記ＩＰネットワークを介して接続された電話機から前記電話機と接続された無線端末の固有ＩＤが通知されると、前記固有ＩＤに対応する内線番号を取得し、前記内線番号に対応する前記ログイン情報を前記データベースから取得し、前記内線番号及び前記ログイン情報を前記ＩＰインタフェースを介して前記電話機へ通知する。
【発明の効果】
【００１８】
本発明の電話機、交換機及びそれらの制御方法は、利用者の利便性が高く、ネットワークの維持のための負担が小さいという効果を奏する。
【図面の簡単な説明】
【００１９】
【図１】第１の実施形態の電話システムの構成を示す図である。
【図２】第１の実施形態のＩＰ−ＰＢＸの構成を示すブロック図である。
【図３】第１の実施形態の固定電話機の構成を示すブロック図である。
【図４】固有ＩＤデータベースに記憶された内容の例を示す図である。
【図５】ログイン情報データベースに記憶された内容の例を示す図である。
【図６】固定電話機の処理手順を示すフローチャートである。
【図７】接続不可メッセージの例である。
【図８】ＩＰ−ＰＢＸの処理手順を示すフローチャートである。
【図９】第２の実施形態の電話システムの構成を示す図である。
【図１０】第２の実施形態のＩＰ−ＰＢＸの構成を示すブロック図である。
【図１１】第２の実施形態のＩＰ−ＰＢＸの処理手順を示すフローチャートである。
【発明を実施するための形態】
【００２０】
（第１の実施形態）
以下、本発明の実施形態について図面を参照して説明する。図１は、本発明の第１の実施形態の電話システム１の構成を示す図である。電話システム１は、ＩＰネットワーク１００、ＩＰ−ＰＢＸ１０１、無線機能付き固定ＩＰ電話機（以下、「固定電話機」という。）１０２ａ及び１０２ｂ、無線機能付き端末（以下、「無線端末」という。）１０３ａ及び１０３ｂ、並びに、ＤＨＣＰサーバ１０４を備える。ＩＰ−ＰＢＸは、「Internet Protocol - Private Branch Exchange」の略であり、ＤＨＣＰは「Dynamic Host Configuration Protocol」の略である。なお、以下では固定電話機１０２ａと１０２ｂとを総称して固定電話機１０２と記載し、無線端末１０３ａと１０３ｂとを総称して無線端末１０３と記載する。ＩＰネットワーク１００は、ＩＰ−ＰＢＸ１０１、固定電話機１０２及びＤＨＣＰサーバ１０４を相互に接続する。
【００２１】
ＩＰ−ＰＢＸ１０１は、ＩＰネットワーク１００を介して接続された固定電話機１０２の呼制御及び固定電話機１０２と外部の電話網（公衆網あるいは専用線）との接続を行うための交換機である。ＩＰ−ＰＢＸ１０１は、固定電話機１０２の内線番号及び外線番号をも管理する。ＩＰネットワーク１００は、通信プロトコルとしてＩＰが用いられた社内ＬＡＮあるいはＷＡＮ（Wide Area Network）である。
【００２２】
固定電話機１０２は、ＩＰ−ＰＢＸ１０１と接続されたＩＰ電話機である。固定電話機１０２は、オフィスの各座席に設けられた机に固定的に設置される。固定電話機１０２は、ＩＰネットワーク１００とのインタフェース及び近距離無線通信用の無線インタフェースを備える。無線端末１０３は、ノートＰＣやタブレット、スマートフォン等の、近距離無線通信用の無線インタフェース機能を備える端末である。
【００２３】
図２は、ＩＰ−ＰＢＸ１０１の構成を示すブロック図である。ＩＰ−ＰＢＸ１０１は、ＩＰインタフェース１０１１、データベース１０１２、制御部１０１３、外線インタフェース１０１４を備える。ＩＰインタフェース１０１１は、ＩＰ−ＰＢＸ１０１をＩＰネットワーク１００と接続するためのインタフェース回路である。データベース１０１２は、その内部に、固有ＩＤデータベース１０１２ａ及びログイン情報データベース１０１２ｂを備える。データベース１０１２の内容については後述する。
【００２４】
ＩＰ−ＰＢＸ１０１は、無線端末１０３が持つ無線端末固有ＩＤ（以下、「固有ＩＤ」という。）が固定電話機１０２から通知されると、通知された固有ＩＤに対応する内線番号、及び、内線番号に対応するログイン情報を、データベース１０１２を用いて取得する。ここで、「ログイン情報」とは、固定電話機１０２がＩＰ−ＰＢＸ１０１へログインする際のログインＩＤ及びパスワードである。そして、ＩＰ−ＰＢＸ１０１は、取得した内線番号及びログイン情報を、ＩＰインタフェース１０１１を介して固定電話機１０２へ通知する。
【００２５】
制御部１０１３は、ＩＰ−ＰＢＸ１０１の全体の動作を制御するための、制御回路である。制御部１０１３は、さらに、中央処理装置１０１５及びメモリ１０１６を備えてもよい。メモリ１０１６は、例えば不揮発性の半導体メモリ及び揮発性の半導体メモリで構成されるが、メモリの構成はこれらには限定されない。メモリ１０１６は、中央処理装置１０１５において実行されるプログラムを記憶する。中央処理装置１０１５は、メモリ１０１６に記憶されたプログラムを実行することで、制御部１０１３の機能を実現してもよい。
【００２６】
外線インタフェース１０１４は、ＩＰ−ＰＢＸ１０１と、公衆網や専用線とのインタフェース回路である。
【００２７】
図３は、第１の実施形態の固定電話機１０２の構成を示すブロック図である。固定電話機１０２は、無線インタフェース１０２１、ＩＰインタフェース１０２２、制御部１０２３を備える。なお、固定電話機１０２が備える一般的なＩＰ電話機としての構成及び機能についての説明は省略する。
【００２８】
無線インタフェース１０２１は、固定電話機１０２の近傍にある無線端末１０３との間で無線通信を行うための送受信回路である。無線インタフェース１０２１の無線通信方式としては、Ｂｌｕｅｔｏｏｔｈ、ＮＦＣ（Near Field Communication）、ＩＥＥＥ（Institute of Electrical and Electronic Engineers）８０２．１１ａｄ等の近距離無線通信方式が用いられる。しかし、無線インタフェース１０２１が備える無線通信方式は、これらには限定されない。無線インタフェース１０２１は、固定電話機１０２の外部に設けられていてもよい。
【００２９】
ＩＰインタフェース１０２２は、固定電話機１０２をＩＰネットワーク１００と有線で接続するための有線インタフェース回路である。すなわち、固定電話機１０２は、机上に固定的に設置されるとともに、ＩＰネットワーク１００に有線で接続される。
【００３０】
固定電話機１０２は、無線端末１０３から無線通信により取得した無線端末１０３の固有ＩＤを、ＩＰネットワーク１００を介してＩＰ−ＰＢＸ１０１に通知する。そして、固定電話機１０２は、ＩＰ−ＰＢＸ１０１から、当該固有ＩＤに対応する内線番号及びＩＰ−ＰＢＸ１０１へのログイン情報を取得し、取得したログイン情報によりＩＰ−ＰＢＸ１０１にログインする。ログインが成功した場合には、固定電話機１０２は、ＩＰ−ＰＢＸ１０１から取得された内線番号を持つ固定ＩＰ電話機として動作する。
【００３１】
制御部１０２３は、固定電話機１０２の全体の動作を制御するための、制御回路である。制御部１０２３は、中央処理装置１０２５及びメモリ１０２６を備えてもよい。メモリ１０２６は、例えば不揮発性の半導体メモリ及び揮発性の半導体メモリで構成されるが、メモリの構成はこれらには限定されない。メモリ１０２６は、中央処理装置１０２５において実行されるプログラムを記憶する。中央処理装置１０２５は、メモリ１０２６に記憶されたプログラムを実行することで、制御部１０２３の機能を実現してもよい。
【００３２】
ＩＰ−ＰＢＸ１０１及び固定電話機１０２の動作については、後に詳しく説明する。また、無線端末１０３の固有ＩＤは、本実施形態ではＩＰ−ＰＢＸ１０１の固有ＩＤデータベース１０１２ａに記憶される。このため、固定電話機１０２は、自身と接続される可能性のある無線端末１０３の情報を、固定電話機１０２の内部に、認証のために常時記憶しておく必要はない。
【００３３】
ＩＰ−ＰＢＸ１０１のデータベース１０１２は、固定電話機１０２がＩＰ−ＰＢＸ１０１にログインする際のログインＩＤ及びパスワード（すなわちログイン情報）と、固定電話機１０２の内線番号と、無線端末１０３の固有ＩＤと、を記憶する。固有ＩＤは、無線端末１０３を識別するための識別子であり、無線端末１０３ごとに異なる値を持つ。すなわち、無線端末１０３ａと無線端末１０３ｂとは、異なる固有ＩＤを持つ。
【００３４】
データベース１０１２に記憶されている情報の例について、以下に説明する。データベース１０１２は、固有ＩＤデータベース１０１２ａ及びログイン情報データベース１０１２ｂを備える。
【００３５】
図４は、ＩＰ−ＰＢＸ１０１が持つ固有ＩＤデータベース１０１２ａに記憶された内容の例を示す図である。固有ＩＤデータベース１０１２ａは、固有ＩＤ２０１と内線番号２０２の対応を記憶する。すなわち、行２１１は、固有ＩＤ「ＡＡ：ＡＡ：ＡＡ：ＸＸ：ＸＸ：ＸＸ」に対応する内線番号は「１０００」であることを表す。そして、行２１２は、固有ＩＤ「ＡＡ：ＡＡ：ＡＡ：ＹＹ：ＹＹ：ＹＹ」に対応する内線番号は「２０００」であることを表す。なお、固有ＩＤのＡ、Ｘ、Ｙは、例えば文字又は数字である。図４の固有ＩＤ及び内線番号は例示であり、それらの桁数や値を限定するものではない。また、固有ＩＤデータベース１０１２ａに記憶されるデータの数も制限されない。
【００３６】
図５は、ＩＰ−ＰＢＸ１０１が持つログイン情報データベース１０１２ｂに記憶された内容の例を示す図である。ログイン情報データベース１０１２ｂは、内線番号３０１、ログインＩＤ３０２及びパスワード３０３の対応を記憶する。すなわち、行３１１は、内線番号「１０００」に対応するログインＩＤは「１０００」であり、パスワードは「ＰＷ１０００」であることを表す。そして、行３１２は、内線番号「２０００」に対応するログインＩＤは「２０００」であり、パスワードは「ＰＷ２０００」であることを表す。なお、ログインＩＤ及びパスワードは、例えば文字及び数字の組合せである。内線番号、ログインＩＤ及びパスワードは互いに異なっていてもよい。図５の内線番号、ログインＩＤ及びパスワードは例示であり、それらの桁数や値を限定するものではない。また、ログイン情報データベース１０１２ｂに記憶されるデータの数も制限されない。
（固定電話機及びＩＰ−ＰＢＸの動作の説明） 
図６は、固定電話機１０２と無線端末１０３とが接続された後の、固定電話機１０２の処理手順を示すフローチャートである。図８は、ＩＰ−ＰＢＸ１０１の処理手順を示すフローチャートである。固定電話機１０２と無線端末１０３とを接続するために無線インタフェースが備える無線通信方式は、限定されない。例えば、固定電話機１０２と無線端末１０３とがＢｌｕｅｔｏｏｔｈインタフェースを備える場合には、固定電話機１０２と無線端末１０３とが無線通信可能な距離に接近した場合に、両者が自動的に接続されるように設定することが可能である。  固定電話機１０２と無線端末１０３との接続が終了すると、図６及び図８のフローが開始される。図６及び図８では、固定電話機１０２ａと無線端末１０３ａとが接続された場合について説明する。しかし、図６及び図８の手順は、固定電話機１０２ｂと無線端末１０３ｂとが接続された場合も同様である。図６の手順は、固定電話機１０２ａの制御部１０２３によって実行されてもよい。図８の手順は、ＩＰ−ＰＢＸ１０１の制御部１０１３によって実行されてもよい。
【００３７】
図６において、固定電話機１０２ａは、無線端末１０３ａと接続されると、無線端末１０３ａから固有ＩＤを取得する（Ｓ４０１）。固定電話機１０２ａは、取得した無線端末１０３ａの固有ＩＤをＩＰ−ＰＢＸ１０１へ通知する（Ｓ４０２）。その後、後述される図８の手順がＩＰ−ＰＢＸ１０１において行われる。図８の手順の終了後、固定電話機１０２ａが、暗号化されたログイン情報（すなわち、ログインＩＤ及びパスワード）をＩＰ−ＰＢＸ１０１から取得できた場合（Ｓ４０３：Ｙｅｓ）には、固定電話機１０２ａは、暗号化されたログイン情報を復号する（Ｓ４０４）。固定電話機１０２ａは、復号された情報を用いてＩＰ−ＰＢＸ１０１へログインし（Ｓ４０５）、固定電話機１０２ａの電話機能が有効となる。ここで、固定電話機１０２ａの内線番号には、固有ＩＤデータベース１０１２ａに記憶された、無線端末１０３ａの固有ＩＤに対応する内線番号が設定される。その後、無線端末１０３ａとＩＰネットワーク１００とが接続され、両者の間でフレーム転送が開始される（Ｓ４０６）。なお、固定電話機１０２ａは、ＩＰ−ＰＢＸ１０１へのログインが成功した場合には無線端末１０３ａとＩＰネットワーク１００とを接続する。固定電話機１０２ａは、ログインが成功しなかった場合には、無線端末１０３ａとＩＰネットワーク１００とを接続しない。
【００３８】
無線端末１０３ａとＩＰネットワーク１００との間のフレーム転送が開始されると、無線端末１０３ａは、ＤＨＣＰサーバ１０４へＩＰアドレスの払い出しを要求する。無線端末１０３ａは、ＤＨＣＰサーバ１０４によって払い出されたＩＰアドレスを用いてＩＰネットワーク１００へ接続する。その結果、無線端末１０３ａは、ＩＰネットワーク１００を経由した通信が可能となる。ＤＨＣＰサーバによるＩＰアドレスの配布手順はよく知られているので、詳細な説明は省略する。
【００３９】
ステップＳ４０６以降、固定電話機１０２ａは、無線端末１０３ａとの間の無線接続が維持されているかどうかを監視し（Ｓ４０９）、無線接続が維持されている場合には（Ｓ４０９：Ｙｅｓ）ログイン状態を継続する。固定電話機１０２ａと無線端末１０３ａとの間の無線接続が切断された場合には（Ｓ４０９：Ｎｏ）、固定電話機１０２ａはＩＰ−ＰＢＸ１０１からログアウトし（Ｓ４１０）、本フローは終了する。
【００４０】
一方、ステップＳ４０３において、固定電話機１０２ａがＩＰ−ＰＢＸ１０１からログインＩＤ及びパスワードの少なくとも一方を取得できなかった場合（Ｓ４０３：Ｎｏ）には、固定電話機１０２ａは、接続不可メッセージを外部に通知する（Ｓ４０７）。接続不可メッセージは、ＩＰ−ＰＢＸ１０１との接続が不可能である旨を固定電話機１０２ａの外部に示すメッセージである。
【００４１】
図７は、接続不可メッセージの例である。固定電話機１０２ａは、ディスプレイを備え、ログイン情報の取得に失敗した場合には、図７のメッセージを当該ディスプレイに表示してもよい。固定電話機１０２ａは、音声あるいはランプ等によりログイン情報の取得に失敗したことを外部に通知してもよい。
【００４２】
ＩＰ−ＰＢＸ１０１は、固定電話機１０２ａとの接続が不可能であると判断した場合には、接続不可通知を固定電話機１０２ａに送信する。例えば、ＩＰ−ＰＢＸ１０１のデータベース１０１２において、固定電話機１０２ａから通知された固有ＩＤに対応するログイン情報が発見されなかった場合に、固定電話機１０２ａは、接続不可通知をＩＰ−ＰＢＸ１０１から受信する。固定電話機１０２ａが接続不可通知を受信した場合も、図６のフローはステップＳ４０３からＳ４０７へ遷移する。固定電話機１０２ａは、ＩＰ−ＰＢＸ１０１と接続できない場合には、無線端末１０３ａとの接続を切断し（Ｓ４０８）、本フローは終了する。
【００４３】
図８は、ＩＰ−ＰＢＸ１０１の処理手順を示すフローチャートである。図８のフローは、無線端末１０３ａの固有ＩＤが固定電話機１０２ａからＩＰ−ＰＢＸ１０１へ通知されること、すなわち、ＩＰ−ＰＢＸ１０１へのログインＩＤ及びパスワードの問い合わせが行われることによって開始される。
【００４４】
ＩＰ−ＰＢＸ１０１は、固定電話機１０２ａから無線端末１０３ａの固有ＩＤを取得すると（Ｓ６０１）、取得した固有ＩＤが固有ＩＤデータベース１０１２ａに登録されているかどうかを調査する（Ｓ６０２）。取得した固有ＩＤが固有ＩＤデータベース１０１２ａに登録されている場合（Ｓ６０２：Ｙｅｓ）には、ＩＰ−ＰＢＸ１０１は、固有ＩＤデータベース１０１２ａから、取得した固有ＩＤに対応する内線番号を取得する（Ｓ６０３）。そして、ＩＰ−ＰＢＸ１０１は、ステップＳ６０３で取得された内線番号をキーとして、固定電話機１０２ａのログイン情報をログイン情報データベース１０１２ｂから取得する（Ｓ６０４）。取得されたログイン情報は暗号化される（Ｓ６０５）。ＩＰ−ＰＢＸ１０１は、暗号化されたログイン情報を固定電話機１０２ａに通知し（Ｓ６０６）、本フローは終了する。ログイン情報の暗号化により、ＩＰネットワーク１００上で、ログイン情報が固定電話機１０２ａへセキュアに通知される。暗号化の手順は、予め電話システム１の仕様として固定されていてもよいし、ＩＰ−ＰＢＸ１０１と固定電話機１０２ａとの間のネゴシエーションにより、その都度決定されてもよい。
【００４５】
ステップＳ６０６の後、固定電話機１０２ａから、ステップＳ６０６で通知したログイン情報によるログインがあった場合には、交換機は、ログイン情報に対応する内線番号を持つ電話機として固定電話機１０２ａを機能させる。
【００４６】
ステップＳ６０２において、固定電話機１０２から通知された固有ＩＤが固有ＩＤデータベース１０１２ａに登録されていない場合には（Ｓ６０２：Ｎｏ）、ＩＰ−ＰＢＸ１０１は、接続不可通知を固定電話機１０２ａに送信し（Ｓ６０７）、本フローは終了する。接続不可通知は、ＩＰ−ＰＢＸ１０１が、固定電話機１０２ａとの接続が不可能であると判断した場合に送信される。ステップＳ６０４において、固定電話機１０２ａのログイン情報がログイン情報データベース１０１２ｂから取得できなかった場合も、ＩＰ−ＰＢＸ１０１は、接続不可通知を固定電話機１０２ａに送信してもよい。
【００４７】
フリーアドレスが導入されたオフィスにおいて、電話システム１のユーザである従業員が固定電話機１０２と通信可能な範囲にノートＰＣ等の無線端末１０３を持ち込むと、固定電話機１０２と無線端末１０３とが無線接続される。固定電話機１０２と無線端末１０３との接続は、従業員の操作を必要とせず、自動的に行われてもよい。
【００４８】
以上の手順において、従業員が携帯する無線端末の固有ＩＤとその従業員の内線電話願号とを対応づけて固有ＩＤデータベース１０１２ａに記憶させることで、固定電話機１０２を従業員専用の内線電話機として動作させることができる。固定電話機１０２は、ＩＰ−ＰＢＸ１０１に自動的にログインする。さらに、無線端末１０３は、固定電話機１０２を経由してＩＰネットワーク１００にアクセスすることが可能となる。無線端末１０３がノートＰＣである場合には、従業員は、着席した座席において、ノートＰＣをＩＰネットワーク１００に接続して執務を開始できる。
【００４９】
第１の実施形態の電話システム１では、無線アクセスシステムを導入することなく、固定電話機１０２をＩＰネットワーク１００に接続するだけで、無線端末１０３をＩＰネットワーク１００に接続することが可能となる。固定電話機１０２と無線端末１０３とは近距離無線通信を使用して接続される。
【００５０】
無線アクセスシステムと比較して、近距離無線通信では電波の到達範囲が狭い。このため、第１の実施形態の電話システム１では、一般的な無線アクセスシステムとは異なり、他の座席で使用される固定電話機１０２や無線端末１０３との間で電波の干渉が起こりにくい。従って、電話システム１では、導入時に、無線端末の電波伝搬状態の測定を行う必要がない。また、電話システム１では、固定電話機１０２は各座席にのみ設置されればよく、従業員専用の内線電話を実現させるために携帯電話を従業員全員に配布する必要もない。
【００５１】
さらに、固定電話機１０２はＩＰネットワーク１００と有線で接続されている。このため、固定電話機１０２の設置場所を変更した場合でも、無線アクセスシステムとは異なり、電波の伝搬状況の変化による通信品質の劣化が生じることがなく、さらに、それに伴うアンテナ位置の再設計の必要も生じない。
【００５２】
このように、第１の実施形態の電話システム１は、ネットワークシステムの構築及び維持の負担が小さいという効果を奏する。
【００５３】
また、電話システム１は、無線端末１０３及び固定電話機１０２と、ＩＰネットワーク１００との接続の管理が容易であり、その結果、利用者の操作の負担が小さく、利便性が高いという効果も奏する。その理由は、無線端末１０３と固定電話機１０２とが接続されると固定電話機がＩＰ−ＰＢＸからログイン情報を取得して自動的にＩＰ−ＰＢＸにログインするとともに、無線端末１０３と固定電話機１０２との接続が切断されると固定電話機１０２はＩＰ−ＰＢＸ１０１から自動的にログアウトするからである。
【００５４】
電話システム１のこれらの効果は、特に、フリーアドレスの導入により、従業員が執務する座席が固定されないオフィスにおいて有用である。なぜならば、従業員は、どの座席を使用した場合でも、携帯する無線端末１０３と座席に設置された固定電話機１０２とが自動的に接続されることにより、固定電話機を容易に自分の内線電話として使用できるからである。
【００５５】
また、固定電話機１０２は、ＩＰ−ＰＢＸ１０１から自動的にログアウトする機能を備えることにより、外出等の理由によりログアウトした従業員への着信があった場合に、ＩＰ−ＰＢＸ１０１は当該従業員が不在である旨を音声ガイダンスや電子音等により発信元に通知することができる。一方、電話システム１が用いられない場合には、従業員がログアウト操作を失念すると、当該従業員への着信があった場合に当該従業員の内線電話は呼び出し中のままとなる。この場合、着呼先の従業員が不在なのか一時的に離席しているのかを、発信元は判別できない。
（第１の実施形態の固定電話機の最小構成）
なお、固定電話機１０２の最小構成について以下に説明する。固定電話機１０２は、図３に示す無線インタフェース１０２１と、ＩＰインタフェース１０２２と、制御部１０２３と、を備える。
【００５６】
無線インタフェース１０２１は、無線通信により無線端末１０３と通信するための送受信部である。ＩＰインタフェース１０２２は、ＩＰネットワーク１００と接続するためのＩＰインタフェース回路である。制御部１０２３は、無線端末１０３から取得した固有ＩＤをＩＰネットワーク１００に接続された交換機（ＩＰ−ＰＢＸ１０１）に通知する。そして、制御部１０２３は、交換機から固有ＩＤに対応する内線番号及びログイン情報を取得し、取得したログイン情報により交換機へログインする。さらに、制御部１０２３は、固定電話機１０２を交換機から通知された内線番号を持つ固定電話機として動作させるとともに、無線端末１０３とＩＰネットワーク１００とを接続する。
【００５７】
このような構成及び機能を備える最小構成の固定電話機１０２も、ネットワークの構築及び維持のための負担が小さいという効果を奏する。その理由は、固定電話機１０２を座席に設置することで、携帯電話機を従業員に配布する必要がなく、また、無線端末１０３をＩＰネットワーク１００に接続するための無線アクセスシステムが必要されないからである。
（第２の実施形態）
図９は、本発明の第２の実施形態の電話システム２の構成を示す図である。電話システム２は、ＩＰネットワーク７００、ＩＰ−ＰＢＸ７０１、固定電話機７０２、無線端末７０３、認証サーバ７０４、ＤＨＣＰサーバ７０５を備える。固定電話機７０２は固定電話機７０２ａ、７０２ｂの総称であり、無線端末７０３は無線端末７０３ａ、７０３ｂの総称である。
【００５８】
ＩＰ−ＰＢＸ７０１は、ＩＰネットワーク７００を介して接続された固定電話機７０２の呼制御及び固定電話機７０２と外部の電話網（公衆網あるいは専用線）との接続を行うための交換機である。ＩＰ−ＰＢＸ７０１は、固定電話機７０２の内線番号及び外線番号をも管理する。ＩＰネットワーク７００は、社内ＬＡＮあるいはＷＡＮである。
【００５９】
図１０は、第２の実施形態のＩＰ−ＰＢＸ７０１の構成を示すブロック図である。図１０において、図２に示したＩＰ−ＰＢＸ１０１と同様の構成要素には同一の参照符号を付して、各々の説明は省略する。ＩＰ−ＰＢＸ７０１は、第１の実施形態のＩＰ−ＰＢＸ１０１と比較して、データベースの構成が相違する。すなわち、ＩＰ−ＰＢＸ７０１は、図２に示したログイン情報データベース１０１２ｂを備える一方、固有ＩＤデータベース１０１２ａを備えない。第２の実施形態では、固有ＩＤデータベース１０１２ａの内容に相当する情報は、認証サーバ７０４に記憶される。
【００６０】
認証サーバ７０４は、例えば、ＬＤＡＰ（Lightweight Directory Access Protocol）を用いたディレクトリサーバである。認証サーバ７０４は、無線端末７０３が持つ固有ＩＤと、固有ＩＤに対応する内線番号とが記憶された、固有ＩＤデータベースを備える。すなわち、認証サーバ７０４は、図４に示した固有ＩＤデータベース１０１２ａと同様の内容が記憶された、固有ＩＤデータベースを備える。
【００６１】
固定電話機７０２、無線端末７０３及びＤＨＣＰサーバ７０５は、それぞれ、第１の実施形態で説明した固定電話機１０２、無線端末１０３及びＤＨＣＰサーバ１０４と同様の構成及び機能を備える。従って、固定電話機７０２、無線端末７０３及びＤＨＣＰサーバ７０５の詳細な説明は省略する。
【００６２】
図１１は、第２の実施形態のＩＰ−ＰＢＸ７０１の処理手順を示すフローチャートである。図１１は、固定電話機７０２ａから無線端末７０３ａの固有ＩＤが通知された場合の、それ以降のＩＰ−ＰＢＸ７０１の処理手順を示す。図１１のフローは、固定電話機７０２ａから無線端末７０３ａの固有ＩＤが通知されること、すなわち、ＩＰ−ＰＢＸ７０１にログイン情報の問い合わせが行われることで開始される。図１１のフローは、固定電話機７０２ｂから無線端末７０３ｂの固有ＩＤが通知された場合も同様である。
【００６３】
ＩＰ−ＰＢＸ７０１は、固定電話機７０２ａから固有ＩＤが通知されると（Ｓ８０１）、通知された固有ＩＤを認証サーバ７０４へ転送し、通知された固有ＩＤに対応する内線番号を認証サーバ７０４に問い合わせる（Ｓ８０２）。認証サーバ７０４は、認証サーバに備えられた固有ＩＤデータベースを参照し、ＩＰ−ＰＢＸ７０１から転送された固有ＩＤに対応する内線番号をＩＰ−ＰＢＸ７０１に返信する。ＩＰ−ＰＢＸ７０１は、認証サーバ７０４から内線番号を取得できた場合（Ｓ８０３：Ｙｅｓ）には、取得された内線番号をキーとして、固定電話機７０２ａログイン情報を、ログイン情報データベース１０１２ｂから取得する（Ｓ８０４）。取得されたログイン情報は暗号化される（Ｓ８０５）。ＩＰ−ＰＢＸ７０１は、暗号化されたログイン情報を固定電話機７０２ａに対して通知し（Ｓ８０６）、本フローは終了する。固定電話機７０２ａは、ＩＰ−ＰＢＸ７０１から通知された暗号化されたログイン情報を復号してＩＰ−ＰＢＸ７０１にログインすることにより、ステップＳ８０３で取得された内線番号を持つ電話機として動作する。
【００６４】
ステップＳ８０３において、内線番号の抽出に失敗した場合（Ｓ８０３：Ｎｏ）には、ＩＰ−ＰＢＸ７０１は、接続不可通知を固定電話機７０２ａに送信し（Ｓ８０７）、本フローは終了する。
【００６５】
このような構成を備える第２の実施形態の電話システム２も、第１の実施形態の電話システム１と同様に、ネットワークシステムの構築及び維持の負担が小さいという効果を奏することは明らかである。さらに、第２の実施形態の電話システム２では、固有ＩＤデータベースを備える認証サーバをＩＰ−ＰＢＸ７０１の外部に設置することにより、無線端末に対応する固有ＩＤと内線番号との関係を、ＩＰ−ＰＢＸ７０１とは独立した機器によって管理することができる。
（第２の実施形態のＩＰ−ＰＢＸの最小構成）
なお、第２の実施形態のＩＰ−ＰＢＸ７０１は、以下の構成要素のみを備える交換機としても表現できる。そして、以下の交換機によっても、第１及び第２の実施形態の効果が得られる。すなわち、交換機は、ＩＰインタフェース１０１１と、ログイン情報データベース１０１２ｂと、制御部１０１３と、を備える。
【００６６】
ＩＰインタフェース１０１１は、交換機をＩＰネットワーク７００と接続する。ログイン情報データベース１０１２ｂは、内線番号及び当該内線番号に対応するログイン情報を記憶する。ログイン情報は、交換機にログインするための情報であり、ログインＩＤとパスワードを含む。制御部１０１３は、ＩＰネットワーク７００を介して接続された固定電話機７０２ａから、固定電話機７０２ａと接続された無線端末１０３ａの固有ＩＤが通知されると、通知された固有ＩＤに対応する内線番号を取得する。ここで、固有ＩＤに対応する内線番号の情報は、自交換機の内部に記憶されている必要はない。例えば、制御部１０１３は、外部の認証サーバに問い合わせて固有ＩＤに対応する内線番号の情報を取得してもよい。
【００６７】
そして、制御部１０１３は、取得した内線番号に対応するログイン情報をログイン情報データベース１０１２ｂから取得し、内線番号及びログイン情報をＩＰインタフェース１０１１を介して固定電話機７０２ａへ通知する。その後、固定電話機７０２ａから、ログイン情報によるログインがあった場合には、交換機は、固定電話機７０２ａを、ログイン情報に対応する内線番号を持つ電話機として機能させる。
【００６８】
このような構成を備える最小構成の交換機も、ネットワークシステムの構築及び維持の負担が小さいという効果を奏する。その理由は、無線端末は固定電話機を介して交換機に接続されるため、無線端末を交換機に接続するための無線アクセスシステムを必要としないからである。
【００６９】
以上、実施形態を参照して本願発明を説明したが、本願発明は上記の実施形態に限定されない。本願発明の構成や詳細には、本願発明のスコープ内で当業者が理解し得る様々な変更をすることができる。例えば、第１及び第２の実施形態では、固定電話機及び無線端末がそれぞれ２台である場合について説明した。しかし、１つの電話システムに含まれる固定電話機及び無線端末の台数は２台に限定されない。
【００７０】
なお、本発明の実施形態は以下の付記のようにも記載されうるが、これらには限定されない。
（付記１）
無線通信により無線端末と通信するための無線インタフェースと、
ＩＰ（Internet Protocol）ネットワークと接続するためのＩＰインタフェースと、
前記無線端末に固有の固有ＩＤ（Identification）を前記無線端末から取得し、前記固有ＩＤを前記ＩＰネットワークに接続された交換機に通知し、前記固有ＩＤの通知の返信として前記交換機から前記固有ＩＤに対応する内線番号及びログイン情報を取得し、前記ログイン情報により前記交換機へログインし、自電話機を前記内線番号を持つ電話機として機能させ、前記無線端末と前記ＩＰネットワークとを接続する制御部と、
を備える電話機。
（付記２）
前記制御部は、前記交換機への前記ログインが成功した場合に、前記無線端末を前記ＩＰネットワークへ接続する、付記１に記載された電話機。
（付記３）
前記制御部は、前記無線端末と前記無線インタフェースとの無線通信が切断された場合には、前記交換機からログアウトする、付記１又は２に記載された電話機。
（付記４）
前記ＩＰインタフェースは、前記ＩＰネットワークと有線により接続される、請求項１乃至３のいずれかに記載された電話機。
（付記５）
前記通知は暗号化されており、前記制御部は前記通知を復号して前記ログイン情報を取得する、付記１乃至４のいずれかに記載された電話機。
（付記６）
ＩＰネットワークと接続するためのＩＰインタフェースと、
内線番号及び前記内線番号に対応するログイン情報を記憶するデータベースと、
前記ＩＰネットワークを介して接続された電話機から前記電話機と接続された無線端末の固有ＩＤが通知されると、前記固有ＩＤに対応する内線番号を取得し、前記内線番号に対応する前記ログイン情報を前記データベースから取得し、前記内線番号及び前記ログイン情報を前記ＩＰインタフェースを介して前記電話機へ通知する制御部と、
を備える交換機。
（付記７）
前記データベースは、前記内線番号及び前記ログイン情報を前記固有ＩＤに対応させて記憶し、
前記制御部は、前記固有ＩＤに対応する前記内線番号と前記ログイン情報とを前記データベースから取得する、
付記６に記載された交換機。
（付記８）
前記制御部は、前記電話機から前記固有ＩＤが通知された際に、前記ＩＰネットワークを介して接続された認証装置に対して前記固有ＩＤに対応する前記内線番号の問い合わせを行い、前記認証装置から前記固有ＩＤに対応する前記内線番号を取得し、前記取得された前記内線番号に対応する前記ログイン情報を前記データベースから取得する、付記６に記載された交換機。
（付記９）
前記制御部は前記内線番号及び前記ログイン情報を暗号化して前記電話機へ通知する、付記６乃至８のいずれかに記載された交換機。
（付記１０）
付記１乃至４のいずれかに記載された電話機と付記６乃至８のいずれかに記載された交換機とが、それぞれに備えられたＩＰインタフェースを介して接続されている、電話システム。
（付記１１）
付記５に記載された電話機と付記９に記載された交換機とが、それぞれに備えられたＩＰインタフェースを介して接続されている、電話システム。
（付記１２）
無線通信によって無線端末と通信し、
ＩＰインタフェースによってＩＰネットワークと接続し、
前記無線端末に固有の固有ＩＤを前記無線端末から取得し、
前記固有ＩＤをＩＰネットワークを介して接続された交換機に通知し、
前記固有ＩＤの通知の返信として前記交換機から前記固有ＩＤに対応する内線番号及びログイン情報を取得し、
前記ログイン情報により前記交換機へログインし、
自電話機を前記内線番号を持つ電話機として機能させ、
前記無線端末と前記ＩＰネットワークとを接続する、
電話機の制御方法。
（付記１３）
ＩＰインタフェースによってＩＰネットワークと接続し、
内線番号及び前記内線番号に対応するログイン情報をデータベースに記憶し、
前記ＩＰネットワークを介して接続された電話機から前記電話機と接続された無線端末の固有ＩＤが通知されると、前記固有ＩＤに対応する内線番号を取得し、
前記内線番号に対応する前記ログイン情報を前記データベースから取得し、
前記内線番号及び前記ログイン情報を前記ＩＰインタフェースを介して前記電話機へ通知する、
交換機の制御方法。
（付記１４）
電話機が備えるコンピュータに、
無線通信によって無線端末と通信する手順、
ＩＰインタフェースによってＩＰネットワークと接続する手順、
前記無線端末に固有の固有ＩＤを前記無線端末から取得する手順、
前記固有ＩＤをＩＰネットワークを介して接続された交換機に通知する手順、
前記固有ＩＤの通知の返信として前記交換機から前記固有ＩＤに対応する内線番号及びログイン情報を取得する手順、
前記ログイン情報により前記交換機へログインする手順、
前記電話機を前記内線番号を持つ電話機として機能させる手順、
前記無線端末と前記ＩＰネットワークとを接続する手順、
を実行させるための電話機の制御プログラム。
（付記１５）
交換機が備えるコンピュータに、
ＩＰインタフェースによって、ＩＰネットワークと接続する手順、
内線番号及び前記内線番号に対応するログイン情報をデータベースに記憶する手順、
前記ＩＰネットワークを介して接続された電話機から前記電話機と接続された無線端末の固有ＩＤが通知されると、前記固有ＩＤに対応する内線番号を取得する手順、
前記内線番号に対応する前記ログイン情報を前記データベースから取得する手順、
前記内線番号及び前記ログイン情報を前記ＩＰインタフェースを介して前記電話機へ通知する手順、
を実行させるための交換機の制御プログラム。
【符号の説明】
【００７１】
１、２    電話システム
１００、７００    ＩＰネットワーク
１０１、７０１    ＩＰ−ＰＢＸ
１０１１、１０２２    ＩＰインタフェース
１０１２    データベース
１０１２ａ    固有ＩＤデータベース
１０１２ｂ    ログイン情報データベース
１０１３、１０２３    制御部
１０１４    外線インタフェース
１０１５、１０２５    中央処理装置
１０１６、１０２６    メモリ
１０２１    無線インタフェース
１０２、１０２ａ、１０２ｂ、７０２、７０２ａ、７０２ｂ    無線機能付き固定ＩＰ電話機（固定電話機）
１０３、１０３ａ、１０３ｂ、７０３、７０３ａ、７０３ｂ    無線機能付き端末（無線端末）
１０４、７０５    ＤＨＣＰサーバ
７０４    認証サーバ
【図１】
2016001813.tif 000003
【図２】
2016001813.tif 000004
【図３】
2016001813.tif 000005
【図４】
2016001813.tif 000006
【図５】
2016001813.tif 000007
【図６】
2016001813.tif 000008
【図７】
2016001813.tif 000009
【図８】
2016001813.tif 000010
【図９】
2016001813.tif 000011
【図１０】
2016001813.tif 000012
【図１１】
2016001813.tif 000013